(57)【要約】【課題】本発明は、再利用性及び汎用性に富むデカル装置、デカル制御方法、デカル制御プログラム及び記録媒体に関する。【解決手段】デカル装置１は、画像形成装置１００の構成部材または該画像形成装置１の部品である機器関連部材１０１の適宜の位置に着脱可能に取り付け可能であって、該取り付けられた取り付け位置を検出し、該取り付け位置に対応させた該機器関連部材１０１に関する報知情報を記憶しているメモリ１７から該取り付け位置に応じた該報知情報（デカル情報やエンブレム情報等）を読み出して表示部２への表示出力や出力部５からの音声出力や振動出力を行って、報知出力させる。したがって、機器関連部材１０１への取り付け位置に応じた報知情報を適切に報知出力することができ、汎用性及び機能性を向上させることができ、また、画像形成装置１００や画像形成装置１００の部品等の機器関連部材１０１から取り外すことで、再利用することができる。【選択図】          図１
2009271302.tif 000002
【特許請求の範囲】
【請求項１】
機器の構成部材または該機器の部品である機器関連部材に取り付けられるデカル装置であって、前記デカル装置を前記機器関連部材の適宜の位置に着脱可能に取り付ける取り付け手段と、該機器関連部材への該デカル装置の取り付け位置を検出する取り付け位置検出手段と、該取り付け位置に対応させた該機器関連部材に関する報知情報を記憶する記憶手段と、該報知情報を報知出力する報知出力手段と、該取り付け位置検出手段の検出した該取り付け位置に応じた該報知情報を該記憶手段から読み出して該報知出力手段から報知出力させる制御手段と、を備えていることを特徴とするデカル装置。
【請求項２】
前記取り付け手段は、前記機器関連部材の前記取り付け位置に形成されている取り付け穴に挿入される挿入ピン部と、該挿入ピン部の先端付近に形成されて該取り付け穴に挿入されることで該機器関連部材と係合する係合部と、を備えていることを特徴とする請求項１記載のデカル装置。
【請求項３】
前記デカル装置は、前記機器と無線または有線で通信する通信手段を備えており、前記記憶手段は、前記報知情報を該機器を特定する機器固有情報毎に記憶し、前記制御手段は、該通信手段を利用して該機器に固有の機器固有情報を該機器から取得して、取得した該機器固有情報に応じた該報知情報を該記憶手段から読み出して前記報知出力手段から報知出力させることを特徴とする請求項１または請求項２記載のデカル装置。
【請求項４】
前記デカル装置は、前記機器と無線または有線で通信する通信手段を備えており、前記記憶手段は、前記報知情報を前記機器の使用状況情報毎に記憶し、前記制御手段は、該通信手段を利用して該機器の現在の使用状況情報を該機器から取得して、取得した該現在の使用状況情報に応じた該報知情報を該記憶手段から読み出して前記報知出力手段から報知出力させることを特徴とする請求項１から請求項３のいずれかに記載のデカル装置。
【請求項５】
前記取り付け位置検出手段は、前記機器関連部材の前記取り付け位置に設けられた位置情報提供手段の提供する位置情報を検出することを特徴とする請求項１から請求項４のいずれかに記載のデカル装置。
【請求項６】
前記報知出力手段は、前記報知情報を音声、振動等の人体の五感に作用する状態で出力することを特徴とする請求項１から請求項５のいずれかに記載のデカル装置。
【請求項７】
前記報知出力手段は、前記報知情報を絵、記号、または／及び文字の少なくともいずれかで表示出力する表示手段であることを特徴とする請求項１から請求項６のいずれかに記載のデカル装置。
【請求項８】
前記デカル装置または／及び前記機器は、該デカル装置または／及び該機器を管理する管理装置に有線または無線の通信回線によって接続され、前記制御手段は、前記デカル装置の前記取り付け位置に対応する前記報知情報の該管理装置への送信と該管理装置から該報知情報に対する対応情報の取得とを該通信回線を介して行って、該対応情報を前記報知出力手段から報知出力させることを特徴とする請求項１から請求項７のいずれかに記載のデカル装置。
【請求項９】
前記デカル装置は、前記機器または前記管理装置あるいは所定の外部装置から前記報知情報を受信し、前記制御手段は、受信した該報知情報で前記記憶手段の該報知情報を更新、削除、編集を行うことを特徴とする請求項１から求項８のいずれかに記載のデカル装置。
【請求項１０】
機器の構成部材または該機器の部品である機器関連部材に取り付けられるデカル装置の実行するデカル制御方法であって、前記機器関連部材の適宜の位置に着脱可能に取り付けられた前記デカル装置の取り付け位置を検出する取り付け位置検出処理ステップと、該取り付け位置に対応させた該機器関連部材に関する報知情報を記憶している所定の記憶手段から該取り付け位置検出処理ステップで検出された該取り付け位置に応じた該報知情報を読み出して所定の報知出力手段から報知出力させる制御処理ステップと、を有していることを特徴とするデカル制御方法。
【請求項１１】
前記デカル制御方法は、外部装置から前記報知情報を受信する報知情報受信処理ステップをさらに有し、前記制御処理ステップは、該外部装置から受信した該報知情報で、前記記憶手段の該報知情報の更新、削除、編集を行うことを特徴とする請求項１０記載のデカル制御方法。
【請求項１２】
機器の構成部材または該機器の部品である機器関連部材に取り付けられるデカル装置に搭載されるデカル制御プログラムであって、コンピュータに、前記機器関連部材の適宜の位置に着脱可能に取り付けられた前記デカル装置の取り付け位置を検出する取り付け位置検出処理と、該取り付け位置に対応させた該機器関連部材に関する報知情報を記憶する所定の記憶手段から該取り付け位置検出処理で検出された該取り付け位置に応じた該報知情報を該記憶手段から読み出して所定の報知出力手段から報知出力させる制御処理と、を実行させることを特徴とするデカル制御プログラム。
【請求項１３】
請求項１２記載のデカル制御プログラムを記録したことを特徴とするコンピュータが読み取り可能な記録媒体。
【発明の詳細な説明】
【技術分野】
【０００１】
本発明は、デカル装置、デカル制御方法、デカル制御プログラム及び記録媒体に関し、詳細には、再利用性及び汎用性に富むデカル装置、デカル制御方法、デカル制御プログラム及び記録媒体に関する。
【背景技術】
【０００２】
各種機器の構成部材や該機器に搭載または交換可能に取り付けられている部品（以下、必要に応じて、機器関連部材という。）には、外部品の取り扱い方、操作方法、高電圧等の危険に対する注意等を促す記載が文字や記号等（以下、必要に応じて、デカル情報という。）で行われたシート状のデカルを貼り付けることで、機器関連部材の取り扱い性や安全性の向上が図られている。
【０００３】
特に、近年、機器やその部品の高機能化等に伴ってデカルに記載されるデカル情報の情報量が多くなるとともに、複雑化してきている。
【０００４】
一方、近年、機器は、その部品を含めて、リサイクルが重要な課題となってきており、リサイクルに際しては、機器関連部材のうち樹脂で構成されている部材部分については、一般的に、破砕した後に溶融剤を使用して溶融した後に、再生品の成型に利用している。
【０００５】
ところが、機器関連部材等と該機器関連部材等に貼り付けられているデカルとが異種材料で構成されている場合、そのまま破砕して溶融剤に溶融させても、両者が互いに溶け合わず、再生品の成型を行っても、溶融された成型材料に異物が混入した状態と同様の状態となり、再生成型品の強度が低下する等の問題がある。
【０００６】
そのため、デカルを機器関連部材等から剥がす必要があるが、従来、デカルは、接着剤等で機器関連部材等に接着されていることが多く、グラインダー等を利用して剥がしたり、熱処理を行うことで除去することが行われており、リサイクル作業の作業性が悪く、機器関連部材の再生を阻害し、再生品のコスト高の１つの要因ともなっていた。
【０００７】
そこで、従来、製品とデカルを互いに相溶性のある熱可塑性樹脂から構成してデカルを貼り付けたまま再生することのできる製品（特許文献１参照）やデカルの貼り付けられる位置に並行で細い多数の溝を形成して該溝にめり込ませる圧力でデカルを押しつけてデカルを電子機器に取り付ける電子機器（特許文献２参照）が提案されている。
【０００８】
【特許文献１】特許３５６９０３３号公報
【特許文献２】特許３３３７２７８号公報
【発明の開示】
【発明が解決しようとする課題】
【０００９】
しかしながら、上記従来技術にあっては、いずれにしても機器関連部材を溶融剤等で溶融して熱処理することで、再生品を再度再生する再生処理を行っているため、近年、ＣＯ２の削減が世界的に重要な課題となってきており、エネルギー消費を削減して、再利用性を向上させて、環境保全、温暖化に対応する技術が要望されているとともに、コストが高くつくという問題があった。
【００１０】
また、デカルは、その添付対象の機器や部品が複数の国や言語の地域に流通することを考慮した汎用性が要求される。
【００１１】
そこで、本発明は、汎用性、高機能性に富み、再利用が可能なデカル装置、デカル制御方法、デカル制御プログラム及び記録媒体を提供することを目的としている。
【課題を解決するための手段】
【００１２】
本発明は、上記目的を達成するために、機器の構成部材または該機器の部品である機器関連部材に取り付けられるデカル装置であって、前記デカル装置を前記機器関連部材の適宜の位置に着脱可能に取り付ける取り付け手段と、該機器関連部材への該デカル装置の取り付け位置を検出する取り付け位置検出手段と、該取り付け位置に対応させた該機器関連部材に関する報知情報を記憶する記憶手段と、該報知情報を報知出力する報知出力手段と、該取り付け位置検出手段の検出した該取り付け位置に応じた該報知情報を該記憶手段から読み出して該報知出力手段から報知出力させる制御手段と、を備えていることを特徴としている。
【００１３】
また、本発明は、前記取り付け手段は、前記機器関連部材の前記取り付け位置に形成されている取り付け穴に挿入される挿入ピン部と、該挿入ピン部の先端付近に形成されて該取り付け穴に挿入されることで該機器関連部材と係合する係合部と、を備えていることを特徴としてもよい。
【００１４】
さらに、本発明は、前記機器と無線または有線で通信し、前記記憶手段が、前記報知情報を該機器を特定する機器固有情報毎に記憶して、前記制御手段が、前記機器から該機器固有情報を取得して、取得した該機器固有情報に応じた該報知情報を該記憶手段から読み出して前記報知出力手段から報知出力させることを特徴としてもよい。
【００１５】
また、本発明は、前記機器と無線または有線で通信し、前記記憶手段が、前記報知情報を前記機器の使用状況情報毎に記憶し、前記制御手段が、該機器から取得した現在の使用状況情報に応じた該報知情報を該記憶手段から読み出して前記報知出力手段から報知出力させることを特徴としてもよい。
【００１６】
さらに、本発明は、前記報知情報を音声、振動等の人体の五感に作用する状態、例えば、絵、記号、または／及び文字の少なくともいずれかで表示出力等の方法で出力することを特徴としてもよい。
【００１７】
また、本発明は、管理装置に有線または無線の通信回線で通信して、前記デカル装置の前記取り付け位置に対応する前記報知情報の該管理装置への送信と該管理装置から該報知情報に対する対応情報の取得とを該通信回線を介して行って、該対応情報を前記報知出力手段から報知出力させることを特徴としてもよい。
【００１８】
さらに、本発明は、デカル装置が、前記機器または前記管理装置あるいは所定の外部装置から前記報知情報を受信し、受信した該報知情報で前記記憶手段の該報知情報を更新、削除、編集を行うことを特徴としてもよい。
【発明の効果】
【００１９】
本発明によれば、機器の構成部材または該機器の部品である機器関連部材の適宜の位置に着脱可能に取り付けられた前記デカル装置の取り付け位置を検出し、該取り付け位置に対応させた該機器関連部材に関する報知情報を記憶している所定の記憶手段から該取り付け位置に応じた該報知情報を読み出して所定の報知出力手段から報知出力させるので、機器関連部材への取り付け位置に応じた報知情報を適切に報知出力することができ、汎用性及び機能性を向上させることができ、また、機器や機器の部品等の機器関連部材から取り外すことで、再利用することができる。
【発明を実施するための最良の形態】
【００２０】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００２１】
図１〜図６は、本発明のデカル装置、デカル制御方法、デカル制御プログラム及び記録媒体の一実施例を示す図であり、図１は、本発明のデカル装置、デカル制御方法、デカル制御プログラム及び記録媒体の一実施例を適用したデカル装置１の外観斜視図である。
【００２２】
図１において、デカル装置１は、平板状に形成されており、表示部２、該表示部２の周囲に形成されて該表示部２を保持する枠部３、該枠部３の下面（図１の下側面）に固定されている装着ピン４（図１では、装着ピン４ａ〜４ｄの４つ）及び出力部５等を備えている。デカル装置１は、その厚さがデカルとしての機能性を向上させるために、薄く形成されている。
【００２３】
図１において、このデカル装置１の下方に破線で記載されている四角部分は、デカル装置１の取り付けられる機器である画像形成装置１００の機器関連部材１０１、例えば、機器を構成する部材（例えば、外装表面、開閉扉の表裏面、部品取り付け位置近傍の筐体構成部材等）または機器に固定的あるいは着脱可能に取り付けられている部品等のデカル装置１の取り付け領域を示しており、図２に示すように、該機器関連部材１０１のデカル装置１の取り付け領域には、該デカル装置１の装着ピン（挿入ピン部）４ａ〜４ｄの挿入される取り付け穴として装着穴１０２ａ〜１０２ｄが形成されている。このデカル装置１の取り付けられる機器は、例えば、複合装置、複写装置、ファクシミリ装置、プリンタ装置等の画像形成装置、スキャナ装置等の画像読み取り装置及びコンピュータ等のその他の機器一般に適用することができるが、本実施例では、後述するように、画像形成装置１００（図５参照）を例として取り上げている。
【００２４】
デカル装置１の表示部２は、後述するように、通常のデカルとしての表示情報だけでなく、その他の各種情報を表示する表示手段（報知出力手段）として機能し、消費電力を極力削減するために、例えば、表示情報の書き換え時のみに電力を消費する超薄型の液晶を利用した電子ペーパや有機ＥＬ（Organic Electro-Luminescence）等が用いられている。
【００２５】
枠部３は、表示部２を保持し、該枠部３の四隅の下面には、装着ピン４ａ〜４ｄが固定されている。
【００２６】
装着ピン４ａ〜４ｄは、該枠部３の下面に対して鉛直下方に所定長さ突出する状態で形成されており、各装着ピン４ａ〜４ｄの先端部には、ボール状の係合部４ａｐ〜４ｄｐが形成されている。デカル装置１は、機器関連部材１０１の装着穴１０２ａ〜１０２ｄに装着ピン４ａ〜４ｄの係合部４ａｐ〜４ｄｐを押し込むことで、該係合部４ａｐ〜４ｄｐが該装着穴１０２ａ〜１０２ｄの形成されている機器関連部材１０１に係合して、該機器関連部材１０１に着脱可能に装着される。したがって、装着ピン４ａ〜４ｄ及び係合部４ａｐ〜４ｄｐは、全体としてデカル装置１を機器関連部材１０１の適宜の位置に着脱可能に取り付ける取り付け手段として機能している。
【００２７】
なお、装着ピン４ａ〜４ｄの４つの係合部４ａｐ〜４ｄｐと機器関連部材１０１の４つの装着穴１０２ａ〜１０２ｄは、その１つを基準とすることを明確にするために、本実施例では、係合部４ａｐと装着穴１０２ａを基準とするために、係合部４ａｐと装着穴１０２ａが、他の係合部４ｂｐ〜４ｄｐ及び装着穴１０２ｂ〜１０２ｄに比較してその径が大きく形成されている。
【００２８】
また、機器関連部材１０１には、その装着穴１０２ａ〜１０２ｄの近傍であって予め設定されている位置に、デカル装置１が機器関連部材１０１のどの位置に装着されたかを検知させる被検知部材１０３ａ〜１０３ｄが設けられており、被検知部材１０３ａ〜１０３ｄは、例えば、図２に示すように、各装着穴１０２ａ〜１０２ｄを結ぶ線上であって各装着穴１０２ａ〜１０２ｄから所定の距離Ｌだけ隣接する装着穴１０２ａ〜１０２ｄ方向に離れた位置に取り付けられている。これらの複数（本実施例では、４つ）の装着穴１０２ａ〜１０２ｄのうち１つ、本実施例では、装着穴１０２ａが、基準となっており、この基準装着穴１０２ａに対して、機器関連部材１０１の各デカル装置１の装着位置を検知するための被検知部材１０３ａ〜１０３ｄの機器関連部材１０１への取り付けと被取り付けが行われることで、後述するように、デカル装置１が、該デカル装置１の機器関連部材１０１のどの装着位置にどのような状態や方向で装着されているかを検知することができるようになっている。
【００２９】
そこで、図１には図示しないが、デカル装置１の下面には、機器関連部材１０１への装着位置を上記被検知部材１０３ａ〜１０３ｄの有無によって検出する装着位置検出部１５ａ〜１５ｄ（図４参照）が配設されており、図１及び図２では、４つの被検知部材１０３ａ〜１０３ｄが配設されていることを示している。
【００３０】
被検知部材１０３ａ〜１０３ｄは、機器関連部材１０１のデカル装置１の取り付け面から鉛直方向に所定量突出する略円柱形状または上端面の閉じた円筒形状等の突形状に形成されており、装着位置検出部１５ａ〜１５ｄは、デカル装置１が機器関連部材１０１の所定の取り付け領域に装着されることで、該取り付け位置に設けられている該突形状の被検知部材１０３ａ〜１０３ｄが存在すると、該被検知部材１０３ａ〜１０３ｄによって押されることでオンするスイッチが用いられている。
【００３１】
そして、機器関連部材１０１には、複数の取り付け領域が設定されており、上記装着穴１０２ａ〜１０２ｄと、該取り付け領域を特定するために、該取り付け領域に設ける被検知部材１０３ａ〜１０３ｄの数と位置が予め設定されている。
【００３２】
デカル装置１は、機器関連部材１０１の適宜の取り付け領域に装着されると、該取り付け領域に設けられている被検知部材１０３ａ〜１０３ｄによって、デカル装置１の裏面に設けられている装着位置検出部１５ａ〜１５ｄがオンされ、この複数の装着位置検出部１５ａ〜１５ｄのうちのどの装着位置検出部１５ａ〜１５ｄがオンしているか、あるいは、全ての装着位置検出部１５ａ〜１５ｄがＯＦＦしているかによって、デカル装置１は、図３に示すような、装着位置検出部１５ａ〜１５ｄのＯＮ／ＯＦＦからなるマトリックス（符号化信号）に対応させて、機器関連部材１０１の取り付け位置情報が、例えば、装着位置検出情報−取り付け位置情報テーブル等として予めメモリ１７等に登録されている。デカル装置１は、装着位置検出部１５ａ〜１５ｄの検出結果に基づいて装着位置検出情報−取り付け位置情報テーブルを参照することで、そのデカル装置１が機器関連部材１０１のどの取り付け領域にどのような状態で取り付けられているかを判別することができるとともに、デカル装置１の機器関連部材１０１の装着の適否や有無（取り外し等）を判別することができる。
【００３３】
なお、図３において、ＯＮ／ＯＦＦは、図２に示す被検知部材１０３ａ〜１０３ｄに対応する位置のデカル装置１の装着位置検出部のＯＮ／ＯＦＦ状態を示しており、このＯＮ／ＯＦＦのマトリックスに対応する取り付け位置領域（機器本体の場合を例として、機器本体正面用、機器本体上面用、機器本体右側面用、機器本体左側面用、機器背面用及び機器本体へのデカル装置１の装着異常の各状態に対応させた装着位置検出部情報−取り付け位置テーブルとなっている。
【００３４】
出力部５は、枠部３内に内蔵されており、操作方法、注意情報、異常警告、広告等の報知すべき情報（報知情報）を音声により出力したり、振動等の人の五感に訴える出力方法で出力する。
【００３５】
上記デカル装置１は、その要部が、図４に示すようにブロック構成されており、制御部／ドライバ１０、アンテナ１１、整流／電源部１２、送受信部１３、センサ入力部１４、装着位置検出部１５、上記出力部５、上記表示部２、表示部ドライバ１６及びメモリ１７等を備えている。
【００３６】
メモリ１７は、デカル装置１の制御命令（制御プログラム）やデカル表示データ及びエンブレムデータ等を格納するメモリであり、制御プログラム領域１７ａ、汎用データ領域１７ｂ及び機種／機番固有データ領域１７ｃ等を備えている。制御プログラム領域１７ａは、デカル装置１の基本制御プログラム及び本発明のデカル制御プログラムを格納し、汎用データ領域１７ｂは、デカル装置１の装着される機器の種類（機種）や機番等の機器の特性に依存しない汎用データのデカルデータやエンブレムデータ等の報知情報を格納し、また、機種／機番固有データ領域１７ｃは、機器の種類（機種）や機番等の機器の固有のデカルデータやエンブレムデータ等の報知情報を格納する。
【００３７】
制御部／ドライバ１０は、制御プログラム領域１７ａのプログラムに基づいて、デカル装置１の各部の制御部で動作制御を行い、また、ドライブの必要な各部のそのドライバで駆動させる。
【００３８】
アンテナ１１は、機器である画像形成装置１００（図５参照）と無線通信するためのＲＦＩＤ（Radio Frequency Identification）用のコイルアンテナであり、ハ−ネス等を介することなく電磁波によりに画像形成装置１００に同様に設けられているアンテナ１１２（図５参照）との間で磁界を伝送媒体として、コイルアンテナであるアンテナ１１に誘起される誘導起電力によって、デカル装置１が電源を備えることなく、各種データの通信を行う。整流／電源部１２は、アンテナ１１に誘起される誘導起電力によって直流を発生させ、送受信部１３は、整流／電源部１２で発生された直流電源を利用して、制御部／ドライバ１０との間でデータの授受を行うとともに、アンテナ１１を介して機器である画像形成装置１００との間でデータの送受信を行う。アンテナ１１及び送受信部１３は、機器としての画像形成装置１００と通信する通信手段として機能している。
【００３９】
なお、上記説明では、デカル装置１は、電源を必要としないが、デカル装置１の機能仕様と通信形態によっては補助電源を使用してもよい。また、デカル装置１と画像形成装置１００との通信は、無線に限るものではなく、ハーネスやコード等の有線で通信を行ってもよい。
【００４０】
センサ入力部１４は、デカル装置１内に内蔵されたセンサの入力部であり、例えば、機器が電子写真方式の画像形成装置であって、デカル装置１が該画像形成装置の定着部周辺に装着される場合、センサとして温度センサ等が設けられており、該温度センサの検出結果がセンサ入力部１４に入力され、センサ入力部１４が制御部／ドライバ１０に出力する。制御部／ドライバ１０がこのセンサ入力部１４を介して、例えば、温度センサから入力される定着部周辺温度に異常があると、表示部２に警告表示を行ったり、機器である画像形成装置側に温度異常情報をアンテナ１１から送信する。
【００４１】
装着位置検出部（取り付け位置検出手段）１５は、上述のように、本実施例では、４つのスイッチからなる４つの装着位置検出部１５ａ〜１５ｄを備えており、機器関連部材１０１の適宜の取り付け領域に取り付けられることで、該取り付け領域の装着位置検出部１５ａ〜１５ｄに対向する位置に設けられている被検知部材（位置情報提供手段）１０３ａ〜１０３ｄによってＯＮされ、対向する位置に該被検知部材１０３ａ〜１０３ｄの設けられていない装着位置検出部１５ａ〜１５ｄはＯＦＦとなる。各装着位置検出部１５ａ〜１５ｄは、ＯＮ／ＯＦＦ情報をデカル装着位置情報として、制御部／ドライバ１０に出力し、制御部／ドライバ１０は、内部メモリまたはメモリ１７に保管されている装着位置検出情報−取り付け位置情報テーブルを参照して、デカル装置１が機器関連部材１０１のどの取り付け領域に取り付けられているかを判別し、また、デカル装置１の機器関連部材１０１への装着の適否や有無（取り外し等）を判別する。
【００４２】
なお、被検知部材１０３ａ〜１０３ｄと装着位置検出部１５ａ〜１５ｄの構成としては、上述のように、突形状の被検知部材１０３ａ〜１０３ｄと該突形状の被検知部材１０３ａ〜１０３ｄに限るものではなく、例えば、被検知部材１０３ａ〜１０３ｄを、該被検知部材１０３ａ〜１０３ｄの位置の反射性能の状態（例えば、凹凸あるいは光沢度等）を変化させたり、該変化を有する反射板を設け、装着位置検出部１５ａ〜１５ｄを、光出射部と光受光部を備えて該反射性能の相違をＯＮ／ＯＦＦの符号情報として出力するものであってもよい。
【００４３】
制御部／ドライバ１０は、制御部プログラム１７ａに格納されているプログラムに基づいて、装着位置検出部１５からのデカル装着位置情報に基づいて判断したデカル装置１の装着位置に対応してメモリ１７の汎用データ領域１７ｂや機種／機番固有データ領域１７ｃのデータを読み出して、表示部２にデカル情報やエンブレム情報を表示させ、また、上記出力部５を駆動させて報知情報を音声や振動等の五感に訴える方法で出力させる。
【００４４】
表示部ドライバ１６は、制御部／ドライバ１０の制御下で、表示部２を駆動制御して、表示部２にデカル情報やエンブレム情報及び報知情報を表示出力させる。
【００４５】
デカル装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されている本発明のデカル制御方法を実行するデカル制御プログラムを読み込んでメモリ１７の制御プログラム領域１７等に導入することで、後述する機器関連部材１０１への取り付け位置に応じた報知情報の報知を行うデカル制御方法を実行するデカル装置１として構築されている。このデカル制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４６】
そして、上記画像形成装置１００は、図５に示すように、その要部がブロック構成されており、画像処理制御部１１０、電源部１１１、アンテナ１１２、送受信部１１３、画像読み取り入力部１１４、外部Ｉ／Ｆ１１５、ネットワークＩ／Ｆ１１６、エンジン制御入力部１１７、エンジン制御部／ドライバ１１８、メモリ１１９、エンジン制御出力部１２０、ビデオＩ／Ｆ１２１、フロントパネル操作表示部１２２、フロントパネルドライバ１２３及びメモリ／ＨＤＤ１２４等を備えている。
【００４７】
電源部１１１は、外部から入力される交流の商用電源から画像形成装置１００内で使用する各種直流電圧を生成して各部に供給する。
【００４８】
アンテナ１１２は、デカル装置１と無線通信するためのＲＦＩＤ用のコイルアンテナであり、電磁波によりデカル装置１のアンテナ１１との間で、上述のように、磁界を伝送媒体としてアンテナ１１に誘導起電力を発生させて電源供給するとともに、各種データの通信を行う。
【００４９】
送受信部１１３は、画像処理制御部１１０との間でデータの授受を行うとともに、アンテナ１１２を介してデカル装置１との間でデータの送受信を行う。
【００５０】
画像読み取り入力部１１４は、例えば、ＣＣＤ（Charge Coupled Device ）を利用したラインイメージスキャナ等が用いられており、原稿の画像を所定の解像度で読み取って、画情報として出力する。
【００５１】
外部Ｉ／Ｆ１１５には、パラレルまたはシリアルのケーブルを介してホストや管理装置（デカル装置１や画像形成装置１００を管理する管理装置であり、以下同様である。）としてのコンピュータ等が接続されており、該ホストと信号の授受を行って、印刷データを受け取りまた必要なステータス信号の送信等を行う。
【００５２】
ネットワークＩ／Ｆ１１６は、ＬＡＮ（Local Area Network）やＷＡＮ（Wide Area Network ）等のネットワークに接続され、該ネットワークに接続されたホストや管理装置としてのコンピュータ等に接続されて、該ホストと信号の授受を行って、印刷データを受け取りまた必要なステータス信号の送信等を行う。
【００５３】
フロントパネル操作表示部１２２は、テンキーやスタートキー等の画像形成装置１００の操作を行うのに必要な各種操作キーを備えるとともに、表示部（例えば、液晶ディスプレイ）を備えている。フロントパネル操作表示部１２２は、画像読み取り入力部１１４での読み取りやエンジンでのデータの印刷等に必要な各種設定操作が操作キーにより行われ、表示部には、操作キーで入力された各種命令内容や画像形成装置１００からオペレータに通知する各種情報が表示される。そして、フロントパネルドライバ１２３は、フロントパネル操作表示部１２２での操作内容を取得して、画像処理制御部１１０に出力し、また、画像処理制御部１１０の制御下で、フロントパネル操作表示部１２２の表示部に上記各種情報を表示させる。
【００５４】
メモリ／ＨＤＤ１２４は、画像処理制御部１１０の制御下で、画像形成装置１００の基本制御プログラム等の制御プログラム、画像データ及び各種データを格納し、また、読み出される。特に、メモリ／ＨＤＤ１２４は、デカル装置１から全ての装着位置検出部１５ａ〜１５ｄがＯＦＦである旨の異常通知があったときの対処方法を定めた情報等を格納しており、特に、異常通知を外部Ｉ／Ｆ１１５やネットワークＩ／Ｆ１１６を介して接続されている管理装置に送信して、該管理装置から該異常通知に適した対応情報を受信するためのプログラムが格納されている。
【００５５】
画像処理制御部１１０は、メモリ／ＨＤＤ１２４のプログラムに基づいて、画像形成装置１００の各部を制御して、ホストから受信した印刷データや画像読み取り入力部１１４で読み取った原稿の画像をエンジンで印刷可能なデータ形式に変換したビデオデータやその他の情報、例えば、給紙トレイの用紙の有無、用紙搬送経路状の用紙のジャムの有無、トナー残量等の印刷処理（画像形成処理）に必要な各種センサの情報等を、ビデオＩ／Ｆ１２１を介してエンジン制御部／ドライバ１１８との間で授受する。
【００５６】
エンジン制御部入力部１１７は、エンジンに設けられている各種センサ（例えば、給紙トレイの用紙の有無、用紙搬送経路状の用紙のジャムの有無、トナー残量等の印刷処理（画像形成処理）に必要な各種情報を検出するセンサ）やその他のスイッチ等からの信号を受け取ってエンジン制御部／ドライバ１１８に渡し、エンジン制御部／ドライバ１１８は、メモリ１１９に保存されているエンジン制御プログラムや各種データに基づいてエンジン制御出力部１２０を介してエンジンの各部を制御して、画像処理制御部１１０から渡された描画データに基づいて画像を用紙に印刷出力する。
【００５７】
次に、本実施例の作用を説明する。本実施例のデカル装置１は、機器である画像形成装置１００に取り外し可能に取り付けられるとともに、取り付け位置及び異常を自動検知して、取り付け位置や異常状態に応じた情報の出力を行うデカル制御処理を実行する。
【００５８】
すなわち、デカル装置１は、画像形成装置１００の電源が投入されると、デカル装置１が電源を備えることなく、画像形成装置１００の送受信部１１３によるアンテナ１１２からの電磁波をアンテナ１１で受信して、アンテナ１１に誘起される誘導起電力によって起動して、初期設定処理を行い、動作を開始する（ステップＳ１０１）。
【００５９】
デカル装置１の制御部／ドライバ１０は、画像形成装置１００（図６では、機器と表現している。）との通信（コミニュケーション）を確立して、画像形成装置１００の保持している画像形成動作に必要な情報や画像形成装置に関する各種情報を画像形成装置１００から取得し（ステップＳ１０２）、該取得した情報がメモリ１７内の記憶内容の更新が必要な情報（データ）であるかチェックする（ステップＳ１０３）。
【００６０】
ステップＳ１０３で、メモリ１７内の記憶内容の変更が必要なときには、制御部／ドライバ１０は、該画像形成装置１００から受信した情報に基づいてメモリ１７内の記憶内容を変更処理して（ステップＳ１０４）、装着位置検出部１５の各装着位置検出部１５ａ〜１５ｄのＯＮ／ＯＦＦの検出信号（以下、装着位置符号データという。）に基づいて、図３に示したメモリ１７内の装着位置検出情報−取り付け位置情報テーブルを参照して、まず、装着位置符号入力データが正常であるか否か、すなわち、デカル装置１が移動されていないか、取り外されていないかを、例えば、図３に示した装着位置検出情報−取り付け位置情報テーブルでは、全ての装着位置符号データ（全ての装着位置検出部１５ａ〜１５ｄのＯＮ／ＯＦＦの検出信号）がＯＦＦであるか否かをチェックし（ステップＳ１０６）、また、ステップＳ１０３で、メモリ１７内の記憶内容の変更が必要ではないときには、装着位置符号入力データが正常であるか否かをチェックする（ステップＳ１０６）。
【００６１】
ステップＳ１０６で、装着位置符号入力データが異常であるときには、制御部／ドライバ１０は、その異常内容を送受信部１３及びアンテナ１１から画像形成装置１００に通信して、画像形成装置１００からの該異常状態に対するセキュリティ対策処理内容が送られてくるのを待って、該セキュリティ対策処理を実行する（ステップＳ１０７）。
【００６２】
すなわち、このセキュリティ対策処理では、デカル装置１が、上述のように、異常内容を画像形成装置１００に送信し、画像形成装置１００は、デカル装置１から異常発生とその内容が送られてくると、該異常通知を外部Ｉ／Ｆ１１５またはネットワークＩ／Ｆ１１６に接続されている図示しない管理装置（画像形成装置１００等を管理する管理者が設置しているコンピュータ等）に行い、管理装置が該通知される異常通知内容に基づいて予め内部データベース等に格納されている管理情報を参照して、該異常通知内容に適した対応情報を決定して画像形成装置１００に通知するとともに、該管理装置の表示部等の報知部から管理者に異常通知とセキュリティ対策情報の報知を行って、適切な対応を促す。画像形成装置１００は、管理装置からセキュリティ対策情報を受信すると、画像処理制御部１１０が該セキュリティ対策情報を送受信部１１３及びアンテナ１１２を介してデカル装置１に送信する。デカル装置１は、画像形成装置１００からセキュリティ対策情報を受信すると、制御部／ドライバ１０が表示部ドライバ１６を介して該セキュリティ対策情報を表示部２に表示させたり、出力部５を駆動してセキュリティ対策情報に対応する音声・振動等の出力を行わせるというセキュリティ対策処理を実行する。
【００６３】
ステップＳ１０６で、装着位置符号入力データが正常であるときは、デカル装置１の制御部／ドライバ１０は、該装着位置符号入力データに基づいて、エンブレムとして機能するのか、デカルとして機能するのかの機能選択を行う（ステップＳ１０８）。この機能選択では、予め、メモリ１７内に、取り付け位置−機能割り当てテーブルを設け、装着位置入力データに基づいて上記装着位置検出情報−取り付け位置情報テーブルからデカル装置１の取り付け位置情報を取得して、取り付け位置−機能割り当てテーブルから機能を取得するか、装着位置検出情報−取り付け位置情報テーブルに直接機能割り当ても組み込み、装着位置検出部１５の取得した取り付け位置情報から直接機能を判別してもよい。この機能割り付けにおいては、例えば、デカル装置１の取り付け位置が画像形成装置１の正面であるときには、エンブレム機能を割り付ける等のように設定する。
【００６４】
ステップＳ１０８で、エンブレム機能ではなく、デカル機能であると判定すると、制御部／ドライバ１０は、予めデカルとしての機能処理制御プログラムがメモリ１７の制御プログラム１７ａに組み込まれており、例えば、該機器である画像形成装置１００の機種や機番等の機器固有のデータと該デカル装置１の装着されている取り付け位置に応じたデカル情報をメモリ１７の機種汎用データ領域１７ｂや機種／機番固有データ領域１７ｃに保管されている操作方法の情報や危険警告情報等の文字やマーク等をデカル情報として表示部２に表示したり、出力部５から出力（例えば、音声出力する）するデカル表示処理を行い（ステップＳ１０９）、機器である画像形成装置１００本体からの出力（表示等）切り換え指示があるか、すなわち、アンテナ１１及び送受信部１３を介して画像形成装置１００から受信したかチェックする（ステップＳ１１０）。
【００６５】
ステップＳ１１０で、出力切り換え指示がないときには、制御部／ドライバ１０は、ステップＳ１０５に戻って、デカル装置１の位置情報入力処理から上記同様に処理する（ステップＳ１０５〜Ｓ１１０）。すなわち、デカル装置１は、機器関連部材１０１に着脱可能に装着されており、装着位置が変更されたり、取り去られることがあるため、制御部／ドライバ１０は、常にデカル装置１の位置情報の取得から上記処理を繰り返し行う。
【００６６】
ステップＳ１１０で、画像形成装置１００から出力（表示等）の切り換え指示があると、制御部／ドライバ１０は、該出力切り換え指示に応じた情報を表示部２に表示したり、出力部５から音声や振動等によって出力する出力（表示）切り換え処理を行う（ステップＳ１１１）。この出力切り換え指示は、デカル装置１は、常に、画像形成装置１００と通信を行っており、例えば、ユーザによる画像形成装置１００の使用状況や使用方法等のタイミングによって該タイミングに適した内容の出力情報、例えば、使用方法のガイダンス、使用上の危険警告等のデカル情報の切り換えを行う指示である。
【００６７】
制御部／ドライバ１０は、出力（表示）切り換え処理を行うと、ステップＳ１０５に戻って、上記同様に処理する（ステップＳ１０５〜Ｓ１１１）。
【００６８】
そして、ステップＳ１０８で、エンブレム機能であると判定すると、制御部／ドライバ１０は、予めエンブレムとしての機能処理内容がメモリ１７の制御プログラム１７ａに組み込まれており、例えば、該機器である画像形成装置１００の機種や機番等の機器固有のデータを画像形成装置１００から取得してメモリ１７の機種／機番固有データ領域１７ｃに保管して、該機種／機番固有データ領域１７ｃに保管したデカル装置１の装着されている画像形成装置１の機種固有の情報やその広告を文字やマーク等をエンブレム情報として表示部２に表示したり、出力部５から出力（例えば、音声出力する）するエンブレム表示処理を行い（ステップＳ１１２）、機器である画像形成装置１００本体からの出力（表示等）切り換え指示があるか、すなわち、アンテナ１１及び送受信部１３を介して画像形成装置１００から受信したかチェックする（ステップＳ１１３）。
【００６９】
ステップＳ１１３で、出力切り換え指示がないときには、制御部／ドライバ１０は、ステップＳ１０５に戻って、デカル装置１の位置情報入力処理から上記同様に処理する（ステップＳ１０５〜Ｓ１１３）。すなわち、デカル装置１は、機器関連部材１０１に着脱可能に装着されており、装着位置が変更されたり、取り去られることがあるため、制御部／ドライバ１０は、常にデカル装置１の位置情報の取得から処理を繰り返し行う。
【００７０】
ステップＳ１１３で、画像形成装置１００から出力（表示等）の切り換え指示があると、制御部／ドライバ１０は、該出力切り換え指示に応じた情報を表示部２に表示したり、出力部５から音声や振動等によって出力する出力（表示）切り換え処理を行う（ステップＳ１１４）。この出力切り換え指示は、デカル装置１は、常に、画像形成装置１００と通信を行っており、例えば、ユーザによる画像形成装置１００の使用状況や使用方法等のタイミングによって該タイミングに適した内容の出力情報、例えば、機種固有の情報やその広告を文字やマーク等をエンブレム情報から他の情報、例えば、使用方法のガイダンス、使用上の危険警告への切り換え等を行う指示である。
【００７１】
制御部／ドライバ１０は、出力（表示）切り換え処理を行うと、ステップＳ１０５に戻って、上記同様に処理する（ステップＳ１０５〜Ｓ１１４）。
【００７２】
このように、本実施例のデカル装置１は、機器である画像形成装置１００の構成部材または該画像形成装置１の部品である機器関連部材１０１の適宜の位置に着脱可能に取り付けられた該デカル装置１の取り付け位置を検出し、該取り付け位置に対応させた該機器関連部材１０１に関する報知情報を記憶している記憶手段であるメモリ１７から該取り付け位置に応じた該報知情報を読み出して表示部２への表示出力や出力部５からの音声出力や振動出力を行って、報知出力させている。
【００７３】
したがって、機器関連部材１０１への取り付け位置に応じたデカル情報やエンブレム情報等の報知情報を適切に報知出力することができ、汎用性及び機能性を向上させることができ、また、画像形成装置１００や画像形成装置１００の部品等の機器関連部材１０１から取り外すことで、再利用することができる。特に、特別な処理／工程を必要とすることなく、デカル装置１及び画像形成装置１００の双方にキズ、跡形等のダメージを残すこと無く、デカル装置１を画像形成装置１００から取り外すことができ、それぞれ清掃等の最低限度の処理を行うことで、再利用することができ、デカル装置１及び画像形成装置１００に対する再使用工数を軽減して、再利用を含めた製品のトータルコストを低減させることができる。その結果、地球環境の保全に貢献することができる。
【００７４】
また、本実施例のデカル装置１は、取り付け手段として、機器関連部材１０１の取り付け位置に形成されている取り付け穴である装着穴１０２ａ〜１０２ｄに挿入される装着ピン（挿入ピン部）４ａ〜４ｄと、該装着ピン４ａ〜４ｄの先端付近に形成されて該装着穴１０２ａ〜１０２ｄに挿入されることで機器関連部材１０１と係合する係合部４ａｐ〜４ｄｐ係合部と、を備えているものを用いている。
【００７５】
したがって、簡単かつ安価な構成で、デカル装置１を機器関連部材１０１に容易に装着することができるとともに、容易に取り外すことができ、利用性及び汎用性を向上させることができる。
【００７６】
さらに、本実施例のデカル装置１は、画像形成装置１００と無線（有線であってもよい。）通信する送受信部１３とアンテナ１１を備えており、メモリ１７は、報知情報を画像形成装置１００を特定する機器固有情報（機種、機番等の固有データ）毎に記憶し、制御部／ドライバ１０は、送受信部１３及びアンテナ１１を利用して画像形成装置１００から固有の機器固有情報を取得して、取得した該機器固有情報に応じた該報知情報をメモリ１７から読み出して表示部２に表示出力し、また、出力部５から音声や振動等で出力する。
【００７７】
したがって、デカル装置１の取り付けられる画像形成装置１００固有の報知情報を自動的にかつ適切に報知出力することができ、より一層汎用性及び利用性を向上させることができる。
【００７８】
また、本実施例のデカル装置１は、画像形成装置１００と無線（有線で有ってもよい。）通信する送受信部１３とアンテナ１１を備えており、メモリ１７は、報知情報を画像形成装置１００の使用状況情報毎に記憶し、制御部／ドライバ１０は、送受信部１３及びアンテナ１１を利用して画像形成装置１００の現在の使用状況情報を画像形成装置１００から取得して、取得した該現在の使用状況情報に応じた該報知情報をメモリ１７から読み出して表示部２に表示出力し、また、出力部５から音声や振動等で出力する。
【００７９】
したがって、デカル装置１の取り付けられる画像形成装置１００の使用状況、例えば、操作途中であれば、該操作に関する案内情報、高圧部分近傍の操作中であれば、高圧警報等を出力することができ、より一層汎用性及び利用性を向上させることができる。
【００８０】
さらに、本実施例のデカル装置１は、装着位置検出部１５が、機器関連部材１０１の該デカル装置１の取り付け位置に設けられた位置情報提供手段である被検知部材１０３ａ〜１０３ｄの提供する位置情報を検出している。具体的には、突形状の被検知部材１０３ａ〜１０３ｄが機器関連部材１０１に設けられており、装着位置検出部１５としてスイッチが用いられていて、デカル装置１が取り付けられると、該取り付け位置に設けられている該被検知部材１０３ａ〜１０３ｄがスイッチの装着位置検出部１５ａ〜１５ｄをＯＮさせ、被検知部材１０３ａ〜１０３ｄが設けられていない位置に対応する装着位置検出部１５ａ〜１５ｄがＯＦＦすることで、位置検出を行う。
【００８１】
したがって、簡単かつ適切にデカル装置１の取り付け位置を検出して該取り付け位置に適切な報知情報を出力することができる。
【００８２】
また、本実施例のデカル装置１は、報知出力手段として、報知情報を音声、振動等の人体の五感に作用する状態で出力する出力部５が用いられている。
【００８３】
したがって、言語の相違や仕向地の相違及び五感の一部に不自由のある場合にも確実にかつより一層適切に報知情報を知らせることができ、利用性をより一層向上させることができる。
【００８４】
さらに、本実施例のデカル装置１は、報知出力手段として、報知情報を絵、記号、または／及び文字の少なくともいずれかで表示出力する表示部２を用いている。
【００８５】
したがって、絵や記号等の世界共通で利用できる情報で表示することもでき、デカル装置１やそのデカル装置１の取り付けられた機器（画像形成装置１００）の仕向地等に関わらず、汎用性及び利用性をより一層向上させることができる。
【００８６】
また、本実施例のデカル装置１は、機器である画像形成装置１００が管理装置に有線または無線の通信回線によって接続され、制御部／ドライバ１０が、デカル装置１の取り付け位置に対応する報知情報の該管理装置への送信と該管理装置から該報知情報に対する対応情報の取得とを該通信回線を介して行って、該対応情報を表示部２や出力部５から報知出力している。なお、上記実施例においては、画像形成装置１００が管理装置に接続されているが、デカル装置１が直接管理装置に接続されていてもよい。
【００８７】
したがって、デカル装置１や画像形成装置１００を管理する管理装置からのより一層適切な報知情報としての対応情報を報知出力することができ、より一層利用性を向上させることができるとともに、デカル装置１等が部品等の劣化や故障等のメンテナンスの必要の可否等を管理装置に通知して、対応処理をより一層速やかに取ることができる。特に、デカル装置１及び画像形成装置１００の使用履歴や異常／修理履歴情報を管理装置で集中管理して、再生あるいは再使用時の回収予測や整備／診断等の情報として活用することによって、再利用や再生等の適切な処理方法を速やかに決定して、作業効率を高め、トータルコストを低減することができる。
【００８８】
さらに、本実施例のデカル装置１は、画像形成装置１００または直接あるいは画像形成装置１００を介して接続される管理装置やその他の外部装置から報知情報を受信し、制御部／ドライバ１０が、受信した該報知情報でメモリ１７の該報知情報を更新、削除、編集を行う。
【００８９】
したがって、報知情報を自動的に常に最新の情報に行使したり、付与な情報を削除したり、デカル装置１や画像形成装置１００の利用状況に応じた情報内容に変更することができ、より一層汎用性、利用性を向上させることができる。
【００９０】
なお、上記説明においては、機器である画像形成装置１が有線または無線によって管理装置と接続されている場合について説明したが、デカル装置１が管理装置と接続されていてもよい。このようにすると、デカル装置１が、管理装置と機器である画像形成装置１との中継の機能を持たせることができ、利用性を向上させることができる。  
【００９１】
また、デカル装置１は、メモリ１７に記憶している制御プログラムまたは／及びデータを機器である画像形成装置１または管理装置から適宜更新可能としてもよい。
【００９２】
このようにすると、デカル装置１の機能を適宜向上させることができ、より一層利用性、汎用性を向上させることができる。
【００９３】
さらに、デカル装置１は、その表示部５として、超薄型の液晶を利用した電子ペーパや有機ＥＬ等を用いているので、種々の情報を報知情報として表示出力させることができるとともに、それらの報知情報をカラー出力することができ、エンブレムとしての豪華さと広告塔に匹敵する商品情報、ロゴ等の多彩な表現を実現して宣伝効果を高めることができる。
【００９４】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【産業上の利用可能性】
【００９５】
本発明は、機器や機器の部品等の機器関連部材に取り付けられる再利用可能なデカル装置、該デカル装置の実行するデカル制御方法、該デカル装置に搭載されるデカル制御プログラム及び記録媒体に利用することができる。
【図面の簡単な説明】
【００９６】
【図１】本発明の一実施例を適用したデカル装置の外観斜視図。
【図２】図１のデカル装置の取り付けられる機器関連部材のデカル取り付け位置の平面図。
【図３】装着位置検出部情報−取り付け位置テーブルの一例を示す図。
【図４】デカル装置のブロック構成図。
【図５】画像形成装置のブロック構成図。
【図６】デカル装置による情報出力制御処理を示すフローチャート。
【符号の説明】
【００９７】
１  デカル装置
２  表示部
３  枠部
４、４ａ〜４ｄ  装着ピン
４ａｐ〜４ｄｐ  係合部
５  出力部
１０  制御部／ドライバ
１１  アンテナ
１２  整流／電源部
１３  送受信部
１４  センサ入力部
１５  装着位置検出部
１５ａ〜１５ｄ  装着位置検出部
１６  表示部ドライバ
１７  メモリ
１７ａ  制御プログラム領域
１７ｂ  汎用データ領域
１７ｃ  機種／機番固有データ領域
１００  画像形成装置
１０１  機器関連部材
１０２ａ〜１０２ｄ  装着穴
１０３ａ〜１０３ｄ  被検知部材
１１０  画像処理制御部
１１１  電源部
１１２  アンテナ
１１３  送受信部
１１４  画像読み取り入力部
１１５  外部Ｉ／Ｆ
１１６  ネットワークＩ／Ｆ
１１７  エンジン制御入力部
１１８  エンジン制御部／ドライバ
１１９  メモリ
１２０  エンジン制御出力部
１２１  ビデオＩ／Ｆ
１２２  フロントパネル操作表示部
１２３  フロントパネルドライバ
１２４  メモリ／ＨＤＤ
【図１】
2009271302.tif 000003
【図２】
2009271302.tif 000004
【図３】
2009271302.tif 000005
【図４】
2009271302.tif 000006
【図５】
2009271302.tif 000007
【図６】
2009271302.tif 000008